Podtech/llm-jp-corpus-v4-ja_patent huggingface dataset:
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
複数の図柄が表示された複数の回胴と、
前記回胴の回転の始動契機となる始動手段と、
前記回胴の回転の停止契機となる停止手段と、
前記回胴の始動／停止の制御を行う回胴制御手段と、
所定条件の成立を契機に役の抽選を行う役抽選手段と、
カウント対象をカウントするカウント手段と、
遊技者に有利な特典遊技の付与を決定可能な特典遊技付与決定手段と、を備え、
カウント数が所定値に達するまでに特典遊技付与条件が成立した場合に付与される特典遊技の最大遊技回数は、前記カウント数が前記所定に到達した後に該カウント数がリセットされるまでに特典遊技付与条件が成立した場合に付与される特典遊技の最大遊技回数よりも多くされた
ことを特徴とする回胴式遊技機。
【請求項２】
複数の図柄が表示された複数の回胴と、
前記回胴の回転の始動契機となる始動手段と、
前記回胴の回転の停止契機となる停止手段と、
前記回胴の始動／停止の制御を行う回胴制御手段と、
所定条件の成立を契機に役の抽選を行う役抽選手段と、
カウント対象をカウントするカウント手段と、
遊技者に有利な特典遊技の付与を決定可能な特典遊技付与決定手段と、を備え、
カウント数が所定値に達するまでに特典遊技付与条件が成立した場合に付与される特典遊技の平均遊技回数は、前記カウント数が前記所定に到達した後に該カウント数がリセットされるまでに特典遊技付与条件が成立した場合に付与される特典遊技の平均遊技回数よりも多くされた
ことを特徴とする回胴式遊技機。
【手続補正２】
【補正対象書類名】明細書
【補正対象項目名】０００５
【補正方法】変更
【補正の内容】
【０００５】
複数の図柄が表示された複数の回胴と、前記回胴の回転の始動契機となる始動手段と、前記回胴の回転の停止契機となる停止手段と、前記回胴の始動／停止の制御を行う回胴制御手段と、所定条件の成立を契機に役の抽選を行う役抽選手段と、カウント対象をカウントするカウント手段と、遊技者に有利な特典遊技の付与を決定可能な特典遊技付与決定手段と、を備え、カウント数が所定値に達するまでに特典遊技付与条件が成立した場合に付与される特典遊技の最大遊技回数（或いは平均遊技回数）は、前記カウント数が前記所定に到達した後に該カウント数がリセットされるまでに特典遊技付与条件が成立した場合に付与される特典遊技の最大遊技回数（或いは平均遊技回数）よりも多い。
これにより、例えば、カウント数が所定値に達する直前、即ち天井直前の第１通常遊技状態において第１特別遊技の抽選が実行され、カウント数が所定値に達した天井においてカウント数がリセットされるまでに第２特別遊技が実行される場合に、天井よりも第１通常遊技状態における特別遊技の方が獲得遊技価値が多い。
【手続補正書】
【提出日】平成30年4月3日(2018.4.3)
【手続補正１】
【補正対象書類名】明細書
【補正対象項目名】０００８
【補正方法】変更
【補正の内容】
【０００８】
上記課題を解決するために、請求項１に記載の発明は、被検者の生体情報を取得する生体情報取得部と、前記被検者の眠気基準心拍数が活動状態毎に格納されている眠気基準心拍数格納部から、前記被検者の活動状態に応じた眠気基準心拍数を取得する眠気基準心拍数取得部と、前記生体情報及び前記眠気基準心拍数に基づき、前記被検者の眠気に関する眠気情報を算出する眠気度算出部と、前記被検者の過去の眠気に関する履歴情報及び前記眠気情報に基づき前記被検者の就寝に関する就寝案内情報を生成する生成部と、前記就寝案内情報を出力する出力部と、を備えることを特徴とする就寝案内装置である。
【手続補正２】
【補正対象書類名】明細書
【補正対象項目名】０００９
【補正方法】変更
【補正の内容】
【０００９】
また、請求項８に記載の発明は、被検者の生体情報を取得する生体情報取得工程と、前記被検者の眠気基準心拍数が活動状態毎に格納されている眠気基準心拍数格納部から、前記被検者の活動状態に応じた眠気基準心拍数を取得する眠気基準心拍数取得工程と、前記生体情報及び前記眠気基準心拍数に基づき、前記被検者の眠気に関する眠気情報を算出する眠気度算出工程と、前記被検者の過去の眠気に関する履歴情報及び前記眠気情報に基づき前記被検者の就寝に関する就寝案内情報を生成する生成工程と、前記就寝案内情報を出力する出力工程と、を含むことを特徴とする就寝案内方法である。
【手続補正３】
【補正対象書類名】特許請求の範囲
【補正対象項目名】全文
【補正方法】変更
【補正の内容】
【特許請求の範囲】
【請求項１】
被検者の生体情報を取得する生体情報取得部と、
前記被検者の眠気基準心拍数が活動状態毎に格納されている眠気基準心拍数格納部から、前記被検者の活動状態に応じた眠気基準心拍数を取得する眠気基準心拍数取得部と、
前記生体情報及び前記眠気基準心拍数に基づき、前記被検者の眠気に関する眠気情報を算出する眠気度算出部と、
前記被検者の過去の眠気に関する履歴情報及び前記眠気情報に基づき前記被検者の就寝に関する就寝案内情報を生成する生成部と、
前記就寝案内情報を出力する出力部と、
を備えることを特徴とする就寝案内装置。
【請求項２】
前記履歴情報には、前記被検者の過去の入眠潜時に関する入眠潜時情報が含まれることを特徴とする請求項１に記載の就寝案内装置。
【請求項３】
前記入眠潜時の目標値が入力される入力部を更に備え、
前記生成部は、前記目標値、前記眠気情報及び前記履歴情報に基づき前記就寝案内情報を生成する、
ことを特徴とする請求項２に記載の就寝案内装置。
【請求項４】
前記生成部は、前記履歴情報に含まれる過去眠気情報と前記入眠潜時情報との関係に基づき、現在の入眠潜時を算出し、前記就寝案内情報に含めることを特徴とする請求項２または３に記載の就寝案内装置。
【請求項５】
前記履歴情報には、前記被検者の睡眠時間及び入眠潜時の開始における眠気情報が含まれていることを特徴とする請求項２乃至４のいずれか一項に記載の就寝案内装置。
【請求項６】
前記履歴情報を収集して履歴情報格納部に出力する履歴収集部を更に備えることを特徴とする請求項１乃至５のいずれか一項に記載の就寝案内装置。
【請求項７】
前記出力部は、前記就寝案内情報を表示する表示部、前記就寝案内情報を音により出力する音声報知部、前記就寝案内情報を振動により出力する振動報知部の少なくともいずれか１つを備えることを特徴とする請求項１乃至６のいずれか一項に記載の就寝案内装置。
【請求項８】
被検者の生体情報を取得する生体情報取得工程と、
前記被検者の眠気基準心拍数が活動状態毎に格納されている眠気基準心拍数格納部から、前記被検者の活動状態に応じた眠気基準心拍数を取得する眠気基準心拍数取得工程と、
前記生体情報及び前記眠気基準心拍数に基づき、前記被検者の眠気に関する眠気情報を算出する眠気度算出工程と、
前記被検者の過去の眠気に関する履歴情報及び前記眠気情報に基づき前記被検者の就寝に関する就寝案内情報を生成する生成工程と、
前記就寝案内情報を出力する出力工程と、
を含むことを特徴とする就寝案内方法。
【請求項９】
請求項８に記載の就寝案内方法を、コンピュータにより実行させることを特徴とする就寝案内プログラム。
【請求項１０】
請求項９に記載の就寝案内プログラムを格納したことを特徴とするコンピュータ読み取り可能な記録媒体。
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
第１壁部材と、
第２壁部材と、を備え、
前記第１壁部材と前記第２壁部材とによって画された空間を、被分級体及び気体を含む混合体の流路とし、
混合体の流路の出口の下流側に設定された選別エリアへ前記混合体を出す分級機であって、
前記第１壁部材と第２壁部材の間隔は前記流路の出口に近づくに従って漸減し、
前記流路の断面積は前記流路の出口に近づくに従って漸増することを特徴とする分級機。
【請求項２】
前記第２壁部材は、前記第１壁部材の周りを囲むように形成され、
さらに、
前記流路の出口に沿って前記第１壁部材から突出するように設けられ、前記出口から流出した前記混合体に対し前記被分級体の分散を行うためのコアンダ部材を備えることを特徴とする請求項１記載の分級機。
【請求項３】
前記第１壁部材及び前記第２壁部材は、共通の対称軸を持つ回転対称体であることを特徴とする請求項１または２記載の分級機。
【請求項４】
第１壁部材と、
第２壁部材と、を備え、
前記第１壁部材と前記第２壁部材とによって画された空間を、被分級体及び気体を含む混合体の流路とし、
混合体の流路の出口の下流側に設定された選別エリアへ前記混合体を出す分級機であって、
前記第１壁部材と前記第２壁部材とのうち少なくとも一方の表面に、乱流発生構造が形成されたことを特徴とする分級機。
【請求項５】
第１壁部材と、
第２壁部材と、を備え、
前記第１壁部材と前記第２壁部材とによって画された空間を、被分級体及び気体を含む混合体の流路とし、
混合体の流路の出口の下流側に設定された選別エリアへ前記混合体を出す分級機であって、
前記流路の出口に沿って前記第１壁部材から突出するように設けられ、前記出口から流出した前記混合体に対し前記被分級体の分散を行うためのコアンダ部材を備え、
前記出口から流出した前記被分級体にかかる遠心力が当該被分級体にかかる慣性力に対して相対的に大きくなる様に、前記出口における前記第１壁部材と第２壁部材の間隔が接近していることを特徴とする分級機。
【手続補正２】
【補正対象書類名】明細書
【補正対象項目名】０００５
【補正方法】変更
【補正の内容】
【０００５】
【特許文献１】特公昭５５−６４３３号公報
【特許文献２】特公平３−４４８２７号公報
【特許文献３】特開平１１−１１４５００号公報
【手続補正３】
【補正対象書類名】明細書
【補正対象項目名】００１１
【補正方法】変更
【補正の内容】
【００１１】
前記第２壁部材は、前記第１壁部材の周りを囲むように形成され、さらに、前記流路の出口に沿って前記第１壁部材から突出するように設けられ、前記流路の出口に沿って前記第１壁部材から突出するように設けられ、前記出口から流出した前記混合体に対し前記被分級体の分散を行うためのコアンダ部材を備えることが好ましい。また、前記第１壁部材及び前記第２壁部材は、共通の対称軸を持つ回転対称体であることが好ましい。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
プロジェクターであって、
投写面に投写画像を投写する投写部と、
前記投写面の少なくとも一部を含む領域を撮像する撮像部と、
前記撮像部の撮像中心を移動する移動部と、
前記移動部により前記撮像中心を移動させながら前記撮像部に撮像画像を撮像させ、前記撮像画像に占める前記投写画像の割合が所定条件を満たすように前記移動部を制御する制御部と、
を備え、
前記投写画像の前記割合が前記所定条件を満たす状態で撮像された前記撮像画像に基づいて処理を行う、
プロジェクター。
【請求項２】
前記移動部は、前記撮像部の向きを変えることにより前記撮像中心を移動する、
請求項１に記載のプロジェクター。
【請求項３】
前記撮像部は、レンズと、光検出部とを備え、
前記移動部は、前記光検出部に対する前記レンズの相対位置を変化させることにより前記撮像中心を移動させる、
請求項１又は２に記載のプロジェクター。
【請求項４】
前記制御部は、複数の所定の図形を含むパターン画像を前記投写部が投写しているときに、前記移動部により前記撮像中心を移動させながら前記撮像部に撮像画像を撮像させ、前記撮像画像に含まれる前記図形の数が所定条件を満たすように前記移動部を制御する、
請求項１から３のうちいずれか一項に記載のプロジェクター。
【請求項５】
前記制御部は、前記投写画像の前記割合が前記所定条件を満たすか否かをパターンマッチングによって判定する、
請求項１から３のうちいずれか一項に記載のプロジェクター。
【請求項６】
前記制御部は、前記投写部の投写条件を取得し、取得した前記投写条件に基づいて、前記移動部に移動させる前記撮像中心の位置を決定する、
請求項１から５のうちいずれか一項に記載のプロジェクター。
【請求項７】
前記制御部は、取得した前記投写条件に基づいて、初期的に前記移動部が前記撮像中心を移動する方向を決定する、
請求項６に記載のプロジェクター。
【請求項８】
前記撮像部は、複数あり、
前記制御部は、前記投写画像の前記割合に基づいて撮像に用いる前記撮像部を選択する、
請求項１から請求項７のうちいずれか一項に記載のプロジェクター。
【請求項９】
投写面に投写画像を投写し、
前記投写面の少なくとも一部を含む領域を撮像部により撮像し、
前記撮像部の撮像中心を移動部により移動し、
前記移動部により前記撮像中心を移動させながら前記撮像部に撮像画像を撮像させ、前記撮像画像に占める前記投写画像の割合が所定条件を満たすように前記移動部を制御し、
前記投写画像の前記割合が前記所定条件を満たす状態で撮像された前記撮像画像に基づいて処理を行う、
制御方法。
【手続補正２】
【補正対象書類名】明細書
【補正対象項目名】００２１
【補正方法】変更
【補正の内容】
【００２１】
また、本発明の他の態様は、投写面に投写画像を投写し、前記投写面の少なくとも一部を含む領域を撮像部により撮像し、前記撮像部の撮像中心を移動部により移動し、前記移動部により前記撮像中心を移動させながら前記撮像部に撮像画像を撮像させ、前記撮像画像に占める前記投写画像の割合が所定条件を満たすように前記移動部を制御し、前記投写画像の前記割合が前記所定条件を満たす状態で撮像された前記撮像画像に基づいて処理を行う、制御方法である。
この構成により、制御方法は、投写面に投写画像を投写し、投写面の少なくとも一部を含む領域を撮像部により撮像し、撮像部の撮像中心を移動部により移動し、移動部により撮像中心を移動させながら撮像部に撮像画像を撮像させ、撮像画像に占める投写画像の割合が所定条件を満たすように移動部を制御し、撮像画像に占める投写画像の割合が所定条件を満たす状態で撮像された撮像画像に基づいて処理を行う。これにより、制御方法は、投写画像の状態に応じて適した画像に基づく処理を行うことができる。
また、本発明の他の態様は、プロジェクターであって、投写面に投写画像を投写する投写部と、前記投写面の少なくとも一部を含む領域を撮像する撮像部と、前記撮像部の撮像中心を移動する移動部と、前記移動部により前記撮像中心を移動させながら前記撮像部に撮像画像を撮像させ、前記撮像画像に占める前記投写画像の割合が所定条件を満たすように前記移動部を制御する制御部と、を備え、前記投写画像の前記割合が前記所定条件を満たす状態で撮像された前記撮像画像に基づいて処理を行う、プロジェクターである。
また、本発明の他の態様は、プロジェクターにおいて、前記撮像部は、レンズと、光検出部とを備え、前記移動部は、前記光検出部に対する前記レンズの相対位置を変化させることにより前記撮像中心を移動させる、構成が用いられてもよい。
また、本発明の他の態様は、プロジェクターにおいて、前記制御部は、前記投写部の投写条件を取得し、取得した前記投写条件に基づいて、前記移動部に移動させる前記撮像中心の位置を決定する、構成が用いられてもよい。
また、本発明の他の態様は、プロジェクターにおいて、前記制御部は、取得した前記投写条件に基づいて、初期的に前記移動部が前記撮像中心を移動する方向を決定する、構成が用いられてもよい。
【手続補正３】
【補正対象書類名】明細書
【補正対象項目名】００７０
【補正方法】変更
【補正の内容】
【００７０】
ステップＳ１６０の処理において撮像中心を移動させた後、撮像制御部１６１は、撮像可能領域ＣＡを撮像部１０に撮像させる（ステップＳ１７０）。そして、制御部１６は、撮像部１０から撮像画像を取得する。ステップＳ１７０における処理の後、評価値検出部１６５は、ステップＳ１４０に遷移し、ステップＳ１７０において撮像部１０から取得した撮像画像に基づいて評価値を再び検出する。
【手続補正４】
【補正対象書類名】明細書
【補正対象項目名】００８７
【補正方法】変更
【補正の内容】
【００８７】
なお、図８に示した例では、撮像中心移動制御部１６３がステップＳ１４０において評価値検出部１６５が検出した１以上の評価値に基づいて、前回のステップＳ１４０において評価値検出部１６５が検出した評価値を特定している。すなわち、図８に示した例において、撮像画像に占めるパターン画像の割合が所定値以上であるか否かを判定する際の当該所定値とは、前回のステップＳ１４０において評価値検出部１６５が検出した評価値を示す。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
搬送されてくるシートの画像を透明部材を介して読み取る画像読取手段を有する画像読取装置本体と、
前記画像読取装置本体に対して回動可能に支持され、前記透明部材に対して開閉可能なシート搬送手段と、
前記シート搬送手段が前記画像読取装置本体に対して閉じられた際に前記透明部材の一部に当接して、前記シート搬送手段と前記透明部材との間にシート通過用の隙間を形成するように前記シート搬送手段に設けられた突き当て部と、
前記シート搬送手段及び前記画像読取装置本体のいずれか一方に設けられた係止部材と、
前記シート搬送手段及び前記画像読取装置本体のいずれか他方に設けられ、前記シート搬送手段が前記画像読取装置本体に対して閉じられた際に前記係止部材に対向するように配置された、前記係止部材により係止可能な被係止部材と、
前記シート搬送手段が前記画像読取装置本体に対して閉じられた際に前記突き当て部が前記透明部材に当接し、かつ、前記係止部材により前記被係止部材が係止された状態となるように前記係止部材と前記被係止部材との間の距離を調整可能な調整手段と、を備える、
ことを特徴とする画像読取装置。
【請求項２】
前記係止部材は、磁石であり、
前記被係止部材は、前記磁石に吸着される被吸着部材である、
ことを特徴とする請求項１に記載の画像読取装置。
【請求項３】
前記係止部材は、フックであり、
前記被係止部材は、前記フックが係合する凸部材である、
ことを特徴とする請求項１に記載の画像読取装置。
【請求項４】
前記シート搬送手段には、開閉時に用いられる操作レバーが支持され、
前記係止部材は、前記操作レバーの操作に連動して前記被係止部材から離脱する方向に移動させられる、
ことを特徴とする請求項１乃至３のいずれか１項に記載の画像読取装置。
【請求項５】
前記係止部材は、前記操作レバーと一体的に設けられた支持部に連結され、
前記調整手段は、前記係止部材を前記支持部に対して移動させることで前記被係止部材に対する前記係止部材の前記距離を調整可能に構成される、
ことを特徴とする請求項４に記載の画像読取装置。
【請求項６】
前記調整手段は、前記係止部材に設けられた長孔部と、前記長孔部を貫通して前記支持部にネジ込まれる調整ネジとを有する、
ことを特徴とする請求項５に記載の画像読取装置。
【請求項７】
前記調整手段は、前記支持部に対する前記係止部材の移動量を視認可能な目盛り部を有する、
ことを特徴とする請求項５又は６に記載の画像読取装置。
【請求項８】
前記画像読取装置本体に対して前記シート搬送手段を、回動部を支点として開閉可能に支持するヒンジ手段を備え、
前記ヒンジ手段は、前記回動部を支点とした前記シート搬送手段の前記画像読取装置本体に対する高さを変更可能な変更手段を有する、
ことを特徴とする請求項１乃至７のいずれか１項に記載の画像読取装置。
【請求項９】
請求項１乃至８のいずれか１項に記載の画像読取装置と、
前記画像読取装置によってシートから読み取られた画像情報に基づいてシートに画像を形成する画像形成手段と、を備える、
ことを特徴とする画像形成装置。
【手続補正２】
【補正対象書類名】明細書
【補正対象項目名】０００８
【補正方法】変更
【補正の内容】
【０００８】
そこで、本発明は、シート通過用の隙間を適切に保持することにより、画像の読取り不良等の不都合を抑制することが可能な画像読取装置及び画像形成装置を提供することを目的としている。
【手続補正３】
【補正対象書類名】明細書
【補正対象項目名】０００９
【補正方法】変更
【補正の内容】
【０００９】
本発明は、画像読取装置において、搬送されてくるシートの画像を透明部材を介して読み取る画像読取手段を有する画像読取装置本体と、前記画像読取装置本体に対して回動可能に支持され、前記透明部材に対して開閉可能なシート搬送手段と、前記シート搬送手段が前記画像読取装置本体に対して閉じられた際に前記透明部材の一部に当接して、前記シート搬送手段と前記透明部材との間にシート通過用の隙間を形成するように前記シート搬送手段に設けられた突き当て部と、前記シート搬送手段及び前記画像読取装置本体のいずれか一方に設けられた係止部材と、前記シート搬送手段及び前記画像読取装置本体のいずれか他方に設けられ、前記シート搬送手段が前記画像読取装置本体に対して閉じられた際に前記係止部材に対向するように配置された、前記係止部材により係止可能な被係止部材と、前記シート搬送手段が前記画像読取装置本体に対して閉じられた際に前記突き当て部が前記透明部材に当接し、かつ、前記係止部材により前記被係止部材が係止された状態となるように前記係止部材と前記被係止部材との間の距離を調整可能な調整手段と、を備えることを特徴とする。
【手続補正４】
【補正対象書類名】明細書
【補正対象項目名】００１０
【補正方法】変更
【補正の内容】
【００１０】
本発明によると、シート通過用の隙間を適切に保持することにより、画像の読取り不良等の発生を抑制することが可能になる。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
順次取得されるデータを含むファイルを記録媒体に記録する記録手段と、
前記記録媒体に記録されたファイルのうちの、修復が必要な所定のファイルの修復処理を行う修復手段と、
データの記録中に前記記録媒体の空き容量が所定量となったことに応じて、前記データの記録を停止するように前記記録手段を制御する制御手段であって、前記記録媒体に記録された前記所定のファイルを修復するために必要なデータ量に基づいて前記所定量を決定し、前記データの記録中に前記記録媒体の空き容量が前記所定量となったことに応じて、前記データの記録を停止するように前記記録手段を制御する制御手段と
を有することを特徴とする記録装置。
【請求項２】
前記データは、動画データである請求項１記載の記録装置。
【請求項３】
前記制御手段は、ユーザによって前記修復処理の実行を指示された場合に、前記修復処理を行うように前記修復手段を制御することを特徴とする請求項１又は２記載の記録装置。
【請求項４】
前記修復手段は、前記修復処理において、前記所定のファイルに含まれる前記データにおける複数のフレームのオフセットを示すオフセット情報を生成し、前記オフセット情報を前記所定のファイルに記録するように前記記録手段を制御し、
前記制御手段は、前記修復処理において生成される前記オフセット情報のデータ量に基づいて、前記所定量を決定することを特徴とする請求項２に記載の記録装置。
【請求項５】
前記制御手段は、前記記録媒体に記録されている、前記所定のファイルの数を検出し、検出された前記所定のファイルの数と、前記修復処理において生成される前記オフセット情報のデータ量とに基づいて、前記所定量を決定することを特徴とする請求項４に記載の記録装置。
【請求項６】
前記制御手段は、複数の前記所定のファイルが前記記録媒体に記録されている場合には、前記複数の所定のファイルを修復するために必要なデータ量の合計に基づいて、前記所定量を決定することを特徴とする請求項１から３のいずれか１項に記載の記録装置。
【請求項７】
前記制御手段は、前記所定のファイルの記録時間に基づいて、前記所定のファイルを修復するために必要なデータ量を取得することを特徴とする請求項１から３のいずれか１項に記載の記録装置。
【請求項８】
前記制御手段は、前記所定のファイルのファイルサイズに基づいて、前記記録時間を取得することを特徴とする請求項７に記載の記録装置。
【請求項９】
前記制御手段は、前記記録媒体に記録されたファイルの管理情報を生成し、前記管理情報を前記記録媒体に記録するように前記記録手段を制御し、前記記録媒体に記録された前記管理情報に基づいて前記所定のファイルを検出することを特徴とする請求項１から８のいずれか１項に記載の記録装置。
【請求項１０】
前記制御手段は、前記ファイルに含まれる前記データのフレーム数に関する情報を前記管理情報に格納し、前記データの記録の開始に応じて、所定値を前記フレーム数に関する情報として記録するように前記記録手段を制御し、前記データの記録の停止の指示に応じて、前記データの記録の停止の指示によって記録が停止された前記データのフレーム数を検出し、検出した前記フレーム数によって、前記記録媒体に記録された前記管理情報における前記フレーム数に関する情報を更新することを特徴とする請求項９に記載の記録装置。
【請求項１１】
撮像手段を備え、
前記記録手段は、前記撮像手段から出力された動画データを前記記録媒体に記録することを特徴とする請求項１に記載の記録装置。
【請求項１２】
修復が必要なファイルが記録媒体に記録されている場合に、前記修復が必要なファイルを修復するために必要なデータ量に基づいて所定量を決定するステップと、
前記記録媒体にデータを順次記録するステップと、
前記データの記録中に前記記録媒体の空き容量が前記所定量となったことに応じて、前記データの記録を停止するステップと
を有することを特徴とする記録装置の制御方法。
【請求項１３】
コンピュータを、
順次取得されるデータを含むファイルを記録媒体に記録する記録手段、
前記記録媒体に記録されたファイルのうちの、修復が必要なファイルの修復処理を行う修復手段、
データの記録中に前記記録媒体の空き容量が所定量となったことに応じて、前記データの記録を停止するように前記記録手段を制御する制御手段であって、前記修復が必要なファイルが前記記録媒体に記録されている場合に、前記修復が必要なファイルを修復するために必要なデータ量に基づいて前記所定量を決定し、前記記録媒体に前記データを記録し、前記データの記録中に前記記録媒体の空き容量が前記所定量となったことに応じて、前記データの記録を停止するように前記記録手段を制御する制御手段、
として機能させるためのコンピュータプログラム。
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
使用者の頭部に装着されて使用される頭部装着装置であって、
前記使用者に対して画像を表示する表示部と、
前記頭部装着装置の重心の位置を調整するカウンターウェイト部と、
前記表示部と前記カウンターウェイト部とに結合され、前記使用者の頭部に対する前記
表示部と前記カウンターウェイト部との位置を保持する保持部とを有し、
前記カウンターウェイト部は、前記使用者の頭部に前記頭部装着装置が装着された場合
に、前記使用者の頭部の形状に応じて変形するように形成されていることを特徴とする頭
部装着装置。
【請求項２】
前記カウンターウェイト部は、前記保持部と着脱が可能に結合されていることを特徴とする請求項１に記載の頭部装着装置。
【請求項３】
前記カウンターウェイト部は、可撓性のある部材で形成されていることを特徴とする請求項１もしくは２に記載の頭部装着装置。
【請求項４】
前記カウンターウェイト部の内部には、複数の球状部材が封入されていることを特徴とする請求項１乃至３のいずれか１項に記載の頭部装着装置。
【請求項５】
前記カウンターウェイト部の内部には、液状もしくはゲル状の物質が封入されていることを特徴とする請求項１乃至３のいずれか１項に記載の頭部装着装置。
【請求項６】
前記カウンターウェイト部は矩形形状をしており、凹部が形成されていることを特徴とする請求項１乃至５のいずれか１項に記載の頭部装着装置。
【請求項７】
前記カウンターウェイト部は、前記保持部に対して可動になる可動部を有することを特徴とする請求項１乃至６のいずれか１項に記載の頭部装着装置。
【請求項８】
前記保持部に対して着脱することが可能な着脱部を更に有し、
前記着脱部は、前記可動部に装着されることを特徴とする請求項７に記載の頭部装着装置。
【請求項９】
前記カウンターウェイト部は、内部に部材を詰めることが可能な複数の袋部で構成されていること特徴とする請求項１乃至８のいずれか１項に記載の頭部装着装置。
【請求項１０】
前記カウンターウェイト部は、前記使用者の頭部に接触する面にシリコンゴムが取り付けられていることを特徴とする請求項１乃至９のいずれか１項に記載の頭部装着装置。
【請求項１１】
前記カウンターウェイト部の前記使用者の頭部に接触する側には、半球状の複数のシリコンゴムが付けられていることを特徴とする請求項１乃至１０のいずれか１項に記載の頭部装着装置。
【請求項１２】
使用者の頭部に装着されて使用される頭部装着装置であって、
前記使用者の頭部の感覚器を刺激する本体部と、
前記頭部装着装置の重心の位置を調整するカウンターウェイト部と、
前記本体部と前記カウンターウェイト部とに結合され、前記使用者の頭部に対する前記
本体部と前記カウンターウェイト部との位置を保持する保持部とを有し、
前記カウンターウェイト部は、前記使用者の頭部に前記頭部装着装置が装着された場合
に、前記使用者の頭部の形状に応じて変形するように形成されていることを特徴とする頭
部装着装置。
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
振動素子と、発振回路及び周波数制御回路と、を含み、
前記振動素子の共振周波数をＦｒ（ＭＨｚ）としたときの等価直列容量Ｃ１（ｆＦ）が、
Ｃ１≧０．００２７９×Ｆｒ２−０．０５６８４×Ｆｒ＋２．６９４８１
を満たす、発振器。
【請求項２】
前記等価直列容量Ｃ１が１．５ｆＦよりも大きい、請求項１に記載の発振器。
【請求項３】
前記周波数制御回路は入力された電圧に対して発振周波数を変化させるものであり、
前記入力された電圧に対する周波数の変化率は、４２ｐｐｍ／Ｖ以上である、請求項１又は２に記載の発振器。
【請求項４】
等価並列容量Ｃ０と等価直列容量Ｃ１との容量比Ｃ０／Ｃ１をγとしたとき、
γ≦０．０２２×Ｆｒ２−４．９６９×Ｆｒ＋４１７．９２９
を満たす、請求項１乃至３のいずれか一項に記載の発振器。
【請求項５】
−４０℃以上＋８５℃以下の温度範囲で、周波数偏差が−１５０ｐｐｂ以上＋１５０ｐｐｂ以下である、請求項１乃至４のいずれか一項に記載の発振器。
【請求項６】
前記振動素子の周波数温度特性の３次以上の近似式に対する前記振動素子の周波数偏差が、−１５０ｐｐｂ以上＋１５０ｐｐｂ以下である、請求項１乃至５のいずれか一項に記載の発振器。
【請求項７】
請求項１乃至６のいずれか一項に記載の発振器を備えている、電子機器。
【請求項８】
請求項１乃至６のいずれか一項に記載の発振器を備えている、移動体。
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
撮像画像を撮像するための光学系を有する撮像装置により撮像された前記撮像画像のうちの位置の指定を受け付ける受付手段と、
指定された位置に対応する、前記撮像画像の部分画像に対して前記撮像装置の光学系に起因する歪曲を低減する歪曲補正を施して得られる補正部分画像を生成する生成手段と、
前記補正部分画像上において、ユーザの指定に応じて、動物体の通過を検知するための通過検知線を設定する設定手段と
を備えることを特徴とする情報処理装置。
【請求項２】
前記撮像画像上において前記指定された位置に対応する前記補正部分画像上の位置に、仮の通過検知線を表示させる表示制御手段をさらに備える
ことを特徴とする、請求項１に記載の情報処理装置。
【請求項３】
前記設定手段は、仮の通過検知線として前記補正部分画像上に表示されたラインの位置をユーザの指示に応じて補正することにより、前記通過検知線を設定することを特徴とする、請求項２に記載の情報処理装置。
【請求項４】
前記撮像画像上において仮の通過検知線として指定されたラインの位置を前記撮像画像を参照して補正する、又は前記撮像画像上において指定された位置に対応する前記補正部分画像上の位置に仮の通過検知線として設定されたラインの位置を前記補正部分画像を参照して補正する、補正手段をさらに備えることを特徴とする、請求項１から３のいずれか１項に記載の情報処理装置。
【請求項５】
前記補正手段は、前記撮像画像から検出された画像中のオブジェクトの輪郭情報を用いて前記撮像画像上において前記指定されたラインの位置を補正する、又は前記補正部分画像から検出された画像中のオブジェクトの輪郭情報を用いて前記撮像画像上において指定されたラインの位置に対応する前記補正部分画像上のラインの位置を補正することを特徴とする、請求項４に記載の情報処理装置。
【請求項６】
前記撮像装置が撮像した撮像画像により構成される動画像において、前記設定手段によって設定された通過検知線を通過した物体を検知する検知手段と、
前記補正部分画像上において設定された通過検知線を、前記撮像画像上の対応する位置に表示させる表示制御手段とをさらに有する
ことを特徴とする、請求項１から５のいずれか１項に記載の情報処理装置。
【請求項７】
情報処理装置が行う情報処理方法であって、
撮像画像を撮像するための光学系を有する撮像装置により撮像された前記撮像画像のうちの位置の領域の指定を受け付ける受付工程と、
指定された位置に対応する、前記撮像画像の部分画像に対して前記撮像装置の光学系に起因する歪曲を低減する歪曲補正を施して得られる補正部分画像を生成する生成工程と、
前記補正部分画像上において、ユーザの指定に応じて、動物体の通過を検知するための通過検知線を設定する設定工程と
を備えることを特徴とする情報処理方法。
【請求項８】
コンピュータを、請求項１から６のいずれか１項に記載の情報処理装置の各手段として機能させるためのプログラム。
【手続補正２】
【補正対象書類名】明細書
【補正対象項目名】０００７
【補正方法】変更
【補正の内容】
【０００７】
本発明の目的を達成するために、例えば、本発明の情報処理装置は以下の構成を備える。すなわち、
撮像画像を撮像するための光学系を有する撮像装置により撮像された前記撮像画像のうちの位置の指定を受け付ける受付手段と、
指定された位置に対応する、前記撮像画像の部分画像に対して前記撮像装置の光学系に起因する歪曲を低減する歪曲補正を施して得られる補正部分画像を生成する生成手段と、
前記補正部分画像上において、ユーザの指定に応じて、動物体の通過を検知するための通過検知線を設定する設定手段と
を備えることを特徴とする。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
再生用コンテンツ情報を記憶するバッファ記憶部と；
再生用に選局された放送チャンネルに対応する周波数変換信号に含まれる音声放送コンテンツにおける関連データを用いて音声放送の切れ目が検出された場合に、該切れ目より前の音声放送コンテンツ情報に続けて予め定められた期間長の無音情報を前記バッファ記憶部に格納した後に、前記切れ目より後の音声放送コンテンツ情報を格納する格納部と；
を備えることを特徴とする放送受信装置。
【請求項２】
前記格納部は、前記音声放送コンテンツにおいて無音が発生した場合、前記無音に続けて前記無音情報を前記バッファ記憶部に格納した後に、前記無音より後の音声放送コンテンツ情報を格納する、ことを特徴とする請求項１に記載の放送受信装置。
【請求項３】
前記関連データは、前記音声放送コンテンツに含まれる番組タイプ情報であって、
前記番組タイプ情報に基づいて、受信中の放送番組のタイプがトーク番組に関連することが判別された場合、前記格納部は、前記音声放送コンテンツにおける音声の進行速度より遅い音声再生速度となるようにテンポ調整及びピッチ調整が行われた音声情報を、前記受信中の放送番組における音声情報に代えて前記バッファ記憶部に格納する、ことを特徴とする請求項１又は２に記載の放送受信装置。
【請求項４】
前記格納部は、
前記音声放送コンテンツの音声解析を行い、
前記音声解析の結果に基づいて、トーク期間であると判別された期間では、前記音声放送コンテンツにおける音声の進行速度より遅い音声再生速度となるようにテンポ調整及びピッチ調整が行われた音声情報を、前記受信中の放送番組における音声情報に代えて前記バッファ記憶部に格納する、
ことを特徴とする請求項１〜３のいずれか一項に記載の放送受信装置。
【請求項５】
前記バッファ記憶部に格納された再生用コンテンツ情報を読み取る読取部を更に備え、
前記バッファ記憶部内の再生用コンテンツ情報に複数の前記切れ目が存在し、一の切れ目の直後の第１音声コンテンツの情報が前記第１音声コンテンツの途中からの情報であり、前記一の切れ目より後の切れ目の直後の第２音声コンテンツの情報が前記第２音声コンテンツの始まりからの情報である場合に、前記読取部は、前記一の切れ目の前の再生用コンテンツ情報の読取の終了後に、前記第２音声コンテンツの情報の読取を開始する、
ことを特徴とする請求項１〜４のいずれか一項に記載の放送受信装置。
【請求項６】
前記バッファ記憶部内の再生用コンテンツ情報に１つの前記切れ目が存在し、前記１つの切れ目の直後の第３音声コンテンツの情報が前記第３音声コンテンツの途中からの情報である場合に、前記読取部は、前記１つの切れ目の前の再生用コンテンツ情報の読取の終了後に、前記第３音声コンテンツの情報の読取を開始する、
ことを特徴とする請求項５に記載の放送受信装置。
【請求項７】
前記バッファ記憶部内の再生用コンテンツ情報に１つの前記切れ目が存在し、前記１つの切れ目の前の音声コンテンツの情報に欠損部分が存在する場合に、前記読取部は、前記欠損部分より前の再生用コンテンツ情報の読取の終了後に、前記１つの切れ目の直後の再生用コンテンツ情報の読取を開始する、
ことを特徴とする請求項５又は６に記載の放送受信装置。
【請求項８】
前記バッファ記憶部内の再生用コンテンツ情報に１つの前記切れ目が存在せず、前記再生用コンテンツ情報に対応する音声コンテンツの情報として欠損部分が存在する場合に、
前記読取部は、前記欠損部分より前の再生用コンテンツ情報の読取の終了後に、前記欠損部分より後の再生用コンテンツ情報の読取を開始する、
ことを特徴とする請求項５〜７のいずれか一項に記載の放送受信装置。
【請求項９】
前記読取部は、前記欠損部分より後の再生用コンテンツ情報の読取の開始から所定期間にわたって、前記欠損部分より後の再生用コンテンツ情報に対して音量フェードイン処理を施す、ことを特徴とする請求項８に記載の放送受信装置。
【請求項１０】
再生用コンテンツ情報を記憶するバッファ記憶部を備える放送受信装置において使用される放送受信方法であって、
再生用に選局された放送チャンネルに対応する周波数変換信号に含まれる音声放送コンテンツにおける関連データを用いて音声放送の切れ目を検出する検出工程と；
前記検出工程において前記切れ目が検出された該切れ目より前の音声放送コンテンツ情報に続けて予め定められた期間長の無音情報を前記バッファ記憶部に格納した後に、前記切れ目より後の音声放送コンテンツ情報を格納する無音情報挿入工程と；
を備えることを特徴とする放送受信方法。
【請求項１１】
放送受信装置が有するコンピュータに、請求項１０に記載の放送受信方法を実行させる、ことを特徴とする放送受信プログラム。
【請求項１２】
放送受信装置が有するコンピュータにより読み取り可能に、請求項１１に記載の放送受信プログラムが記録されている、ことを特徴とする記録媒体。
【手続補正２】
【補正対象書類名】明細書
【補正対象項目名】０００９
【補正方法】変更
【補正の内容】
【０００９】
請求項１に記載の発明は、再生用コンテンツ情報を記憶するバッファ記憶部と；再生用に選局された放送チャンネルに対応する周波数変換信号に含まれる音声放送コンテンツにおける関連データを用いて音声放送の切れ目が検出された場合に、該切れ目より前の音声放送コンテンツ情報に続けて予め定められた期間長の無音情報を前記バッファ記憶部に格納した後に、前記切れ目より後の音声放送コンテンツ情報を格納する格納部と；を備えることを特徴とする放送受信装置である。
【手続補正３】
【補正対象書類名】明細書
【補正対象項目名】００１０
【補正方法】変更
【補正の内容】
【００１０】
請求項１０に記載の発明は、再生用コンテンツ情報を記憶するバッファ記憶部を備える放送受信装置において使用される放送受信方法であって、再生用に選局された放送チャンネルに対応する周波数変換信号に含まれる音声放送コンテンツにおける関連データを用いて音声放送の切れ目を検出する検出工程と；前記検出工程において前記切れ目が検出された該切れ目より前の音声放送コンテンツ情報に続けて予め定められた期間長の無音情報を前記バッファ記憶部に格納した後に、前記切れ目より後の音声放送コンテンツ情報を格納する無音情報挿入工程と；を備えることを特徴とする放送受信方法である。
【手続補正書】
【提出日】平成30年6月12日(2018.6.12)
【手続補正１】
【補正対象書類名】明細書
【補正対象項目名】発明の名称
【補正方法】変更
【補正の内容】
【発明の名称】半導体装置、表示装置、半導体装置の作製方法、及び表示装置の作製方法
【手続補正２】
【補正対象書類名】特許請求の範囲
【補正対象項目名】全文
【補正方法】変更
【補正の内容】
【特許請求の範囲】
【請求項１】
トランジスタを有する半導体装置であって、
前記トランジスタは、ゲート電極と、第１の絶縁膜と、酸化物半導体膜と、第２の絶縁膜と、一対の電極と、を有し、
前記ゲート電極は、前記酸化物半導体膜と重なる領域を有し、
前記酸化物半導体膜は、前記第１の絶縁膜および前記第２の絶縁膜と重なる領域を有し、
前記酸化物半導体膜は、前記一対の電極の各々と接する領域を有し、
前記第１の絶縁膜は、前記ゲート電極と前記酸化物半導体膜とに挟まれる領域を有し、
前記第１の絶縁膜または前記第２の絶縁膜の一方は、シリコン及び酸素を含み、
前記第１の絶縁膜または前記第２の絶縁膜の前記一方は、フッ酸を用いたエッチング速度が、８ｎｍ／分より大きい領域を有することを特徴とする半導体装置。
【請求項２】
トランジスタを有する半導体装置であって、
前記トランジスタは、第１のゲート電極と、第１の絶縁膜と、酸化物半導体膜と、第２の絶縁膜と、第２のゲート電極と、一対の電極と、を有し、
前記第１のゲート電極は、前記酸化物半導体膜と重なる領域を有し、
前記第２のゲート電極は、前記酸化物半導体膜と重なる領域を有し、
前記第１の絶縁膜は、前記第１のゲート電極と前記酸化物半導体膜とに挟まれる領域を有し、
前記第２の絶縁膜は、前記第２のゲート電極と前記酸化物半導体膜とに挟まれる領域を有し、
前記酸化物半導体膜は、前記一対の電極の各々と接する領域を有し、
前記第１の絶縁膜または前記第２の絶縁膜の一方は、シリコン及び酸素を含み、
前記第１の絶縁膜または前記第２の絶縁膜の前記一方は、フッ酸を用いたエッチング速度が、８ｎｍ／分より大きい領域を有することを特徴とする半導体装置。
【請求項３】
請求項１または請求項２において、
画素電極と、を有し、
前記画素電極は、前記トランジスタに電気的に接続されることを特徴とする表示装置。
【請求項４】
トランジスタを有する半導体装置の作製方法であって、
前記トランジスタは、ゲート電極と、第１の絶縁膜と、酸化物半導体膜と、第２の絶縁膜と、一対の電極と、を有し、
前記ゲート電極は、前記酸化物半導体膜と重なる領域を有し、
前記酸化物半導体膜は、前記第１の絶縁膜および前記第２の絶縁膜と重なる領域を有し、
前記酸化物半導体膜は、前記一対の電極の各々と接する領域を有し、
前記第１の絶縁膜は、前記ゲート電極と前記酸化物半導体膜とに挟まれる領域を有し、
前記第１の絶縁膜または前記第２の絶縁膜の一方は、シリコン及び酸素を含み、
前記第１の絶縁膜または前記第２の絶縁膜の前記一方は、フッ酸を用いてエッチングをするとき、エッチング速度が８ｎｍ／分より大きい領域を有することを特徴とする半導体装置の作製方法。
【請求項５】
トランジスタを有する半導体装置の作製方法であって、
前記トランジスタは、第１のゲート電極と、第１の絶縁膜と、酸化物半導体膜と、第２の絶縁膜と、第２のゲート電極と、一対の電極と、を有し、
前記第１のゲート電極は、前記酸化物半導体膜と重なる領域を有し、
前記第２のゲート電極は、前記酸化物半導体膜と重なる領域を有し、
前記第１の絶縁膜は、前記第１のゲート電極と前記酸化物半導体膜とに挟まれる領域を有し、
前記第２の絶縁膜は、前記第２のゲート電極と前記酸化物半導体膜とに挟まれる領域を有し、
前記酸化物半導体膜は、前記一対の電極の各々と接する領域を有し、
前記第１の絶縁膜または前記第２の絶縁膜の一方は、シリコン及び酸素を含み、
前記第１の絶縁膜または前記第２の絶縁膜の前記一方は、フッ酸を用いてエッチングをするとき、エッチング速度が８ｎｍ／分より大きい領域を有することを特徴とする半導体装置の作製方法。
【請求項６】
請求項４または請求項５において、
画素電極を有し、
前記画素電極は、前記トランジスタに電気的に接続されることを特徴とする表示装置の作製方法。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
第１導電型の電荷蓄積領域と、前記第１導電型とは異なる第２導電型の第１半導体領域と、前記第２導電型の第２半導体領域と、絶縁体で構成された素子分離とが配された半導体基板を含む光電変換装置であって、
前記第１半導体領域は、前記電荷蓄積領域と前記素子分離との間から下方に延びるように配され、前記第２半導体領域は、前記電荷蓄積領域の下に配された部分を含み、
前記半導体基板の深さ方向における前記電荷蓄積領域の不純物濃度分布は、深さＲｐ１にピークを有し、前記深さ方向における前記第１半導体領域の不純物濃度分布は、深さＲｐ２にピークを有し、前記深さ方向における前記第２半導体領域の不純物濃度分布は、深さＲｐ３にピークを有し、
Ｒｐ１＜Ｒｐ２＜Ｒｐ３
が満たされ、前記第１半導体領域の深さＲｐ２における不純物濃度をＣ１、前記第２半導体領域の深さＲｐ３における不純物濃度をＣ２とすると、
Ｃ１＞Ｃ２
が満たされることを特徴とする光電変換装置。
【請求項２】
前記半導体基板には、前記第２導電型の第３半導体領域が更に配され、前記第３半導体領域は、前記第２半導体領域の側方に配され、前記第１半導体領域は、前記第２半導体領域の前記部分と前記第３半導体領域との間に配された部分を有する、
ことを特徴とする請求項１に記載の光電変換装置。
【請求項３】
前記深さ方向における前記第３半導体領域の不純物濃度分布は、深さＲｐ４にピークを有し、
Ｒｐ１＜Ｒｐ２＜Ｒｐ３＜Ｒｐ４
が満たされることを特徴とする請求項２に記載の光電変換装置。
【請求項４】
第１導電型の電荷蓄積領域と、前記第１導電型とは異なる第２導電型の第１半導体領域と、前記第２導電型の第２半導体領域と、絶縁体で構成された素子分離と、前記第２導電型の第３半導体領域とが配された半導体基板を含む光電変換装置であって、
前記第１半導体領域は、前記電荷蓄積領域と前記素子分離との間から下方に延びるように配され、
前記第２半導体領域は、前記電荷蓄積領域の下に配された部分を含み、
前記第３半導体領域は、前記第２半導体領域の側方に配され、
前記第１半導体領域の下部は、前記第２半導体領域の前記部分と前記第３半導体領域との間に配された部分を有する、
ことを特徴とする光電変換装置。
【請求項５】
前記第３半導体領域の下端は、前記第２半導体領域の下端より深い位置にある、
ことを特徴とする請求項２乃至４のいずれか１項に記載の光電変換装置。
【請求項６】
前記半導体基板には、前記第２導電型の第４半導体領域および前記第１導電型の第５半導体領域が更に配され、
前記第４半導体領域は、前記第３半導体領域の上に配され、
前記第５半導体領域は、前記第４半導体領域の上に配され、トランジスタの拡散領域を構成している、
ことを特徴とする請求項２乃至５のいずれか１項に記載の光電変換装置。
【請求項７】
前記第３半導体領域の不純物濃度分布は、前記半導体基板の深さ方向において複数のピークを有する、
ことを特徴とする請求項２乃至６のいずれか１項に記載の光電変換装置。
【請求項８】
前記第２半導体領域の不純物濃度分布は、前記半導体基板の深さ方向において複数のピークを有する、
ことを特徴とする請求項１乃至７のいずれか１項に記載の光電変換装置。
【請求項９】
前記第１半導体領域の不純物領域は、前記半導体基板の深さ方向において複数のピークを有する、
ことを特徴とする請求項１乃至８のいずれか１項に記載の光電変換装置。
【請求項１０】
前記第１半導体領域の下端は、前記第２半導体領域の上端より深く、前記第２半導体領域の下端より浅い位置にある、
ことを特徴とする請求項１乃至９のいずれか１項に記載の光電変換装置。
【請求項１１】
前記素子分離はＳＴＩである
ことを特徴とする請求項１乃至１０のいずれか１項に記載の光電変換装置。
【請求項１２】
請求項１乃至１１のいずれか１項に記載の光電変換装置と、
前記光電変換装置から出力される信号を処理する処理部と、
を備えることを特徴とするカメラ。